(57)【要約】 【課題】表示錠または間仕切り錠を備えたドア錠に好適で、簡単な構造で容易かつ安価に製作できるとともに、悪戯等によってサムターン摘みが施錠操作され閉扉された際、ドアの施錠を阻止し、室内の使用を確保して悪戯に対応するとともに、表示錠と間仕切り錠の共用化を図り、これを合理的かつ安価に実現するとともに、体裁の向上を図れるドア錠を提供すること。【解決手段】    レバーハンドル６，３９の回動変位に同動可能なレバーカム５６を設ける。  前記レバーカム５６に連係して進退可能なラッチボルト４を設ける。  サムターン摘み９６の回動変位に同動可能なロックカム５７設ける。  前記ロックカム５７の施錠回動変位を介して、前記ラッチボルト４の後退変位を阻止可能にしたドア錠であること。  前記レバーカム５６の一端部を、前記ロックカム５７の施錠回動域に係合可能に配置する。【選択図】図３
2010071024.tif 000002
【特許請求の範囲】
【請求項１】
レバーハンドルの回動変位に同動可能なレバーカムと、該レバーカムに連係して進退可能なラッチボルトと、サムターン摘みの回動変位に同動可能なロックカムとを備え、前記ロックカムの施錠回動変位を介して、前記ラッチボルトの後退変位を阻止可能にしたドア錠において、前記レバーカムの一端部を、前記ロックカムの施錠回動域に係合可能に配置したことを特徴とするドア錠。
【請求項２】
前記ロックカムと係合可能なロックプレートを、ラッチボルトの軸方向と直交方向へ移動可能に装着した請求項１記載のドア錠。
【請求項３】
前記ロックカムの施錠回動後、前記ラッチボルトの後退変位時、ロックプレートとロックカムとの係合を介して、ロックプレートをロックカムから離反可能に設け、ラッチボルトの後退を続行可能にするとともに、ラッチボルトの先端部をトロヨケから引き抜き可能にした請求項２記載のドア錠。
【請求項４】
前記ロックプレートに、ラッチボルトに装着可能な幅広な切欠溝を形成し、該切欠溝を介しロックプレートと施錠回動後のロックカムとの係合時、ロックプレートをロックカムから離反可能にした請求項３記載のドア錠。
【請求項５】
前記ラッチボルトを前記レバーカムに揺動可能に支持した請求項１記載のドア錠。
【請求項６】
レバーハンドルの回動変位に同動可能なレバーカムと、該レバーカムに連係して進退動可能なラッチボルトと、サムターン摘みの回動変位に同動可能なロックカムと、サムターン摘みの回動変位に同動可能な表示板とを備え、前記表示板に表示窓を形成したドア錠において、前記表示板に表示窓を隠蔽可能な隠蔽カバーを着脱可能に装着したことを特徴とするドア錠。
【請求項７】
前記隠蔽カバーの後部に表示窓に係合可能な取付脚を突設した請求項６記載のドア錠。
【請求項８】
ドアの外面に共用取付座を取り付け、該共用取付座に前記表示板を回動可能に取り付けた請求項６記載のドア錠。
【請求項９】
前記共用取付座の後部に表示板と同動可能な連結軸を突設し、該連結軸の基部にクリップスプリングを着脱可能に取り付け、該クリップスプリングを介し共用取付座に連結軸を保持可能にした請求項６記載のドア錠。
【請求項１０】
前記クリップスプリングは、連結軸の環状溝に掛け止め可能なクリップ部と、表示板を後方へ付勢可能なコイルスプリング部とを一体に形成した請求項９記載のドア錠。
【請求項１１】
前記共用取付座を、表示錠と間仕切り錠とに両用可能にした請求項８記載のドア錠。
【発明の詳細な説明】
【技術分野】
【０００１】
本発明は表示錠または間仕切り錠を備えたドア錠に好適で、簡単な構造で容易かつ安価に製作できるとともに、悪戯等によってサムターン摘みが施錠操作され閉扉された際、ドアの施錠を阻止し、室内の使用を確保して悪戯に対応するとともに、表示錠と間仕切り錠の共用化を図り、これを合理的かつ安価に実現するとともに、体裁の向上を図れるドア錠に関する。
【背景技術】
【０００２】
例えば、家庭のトイレや洗面所のドアには施錠機能を有する表示錠が使用され、そのドアの室外側に表示部を設けて、室内の使用の有無を施錠状態または解錠状態によって表示するようにしていた。（例えば、特許文献１参照）。
【０００３】
しかし、前記表示錠は、施錠に多くの部品を要して構造が複雑で高価になり、また悪戯や錯誤により室内のサムターンを施錠操作して閉扉すると、ドアが施錠され、室内が不使用であるにも拘わらず使用表示されてしまう問題があった。
このような場合、室外側の表示部に設けたスリワリにコインや工具を差し込んで解錠操作すれば、表示錠が解錠され室内の使用が可能になるが、そのような知識を有しない幼児等では前記の対応は難しい。
【０００４】
ところで、例えば家庭内の間仕切り用のドアには、施錠機能を有しない間仕切り錠が使用されている。前記間仕切り錠は表示錠と機能が相違するため、構造や部品が相違し、それぞれ別々に部品を用意し組み立てるという不具合があり、予ねてよりその改善が指摘されていた。
そこで、このような問題の解決に応じられるものとして、表示錠と間仕切り錠の表示板の取り付け位置を、１８０°ずらせて対応するようにしたものがある。（例えば、特許文献２参照）。
【０００５】
しかし、前記の方法は対応が簡単であるが、間仕切り錠の表示窓が開表示されるため、表示錠と誤解され誤操作されるとともに、表示窓が開口されているため、体裁が悪いという問題があった。
【０００６】
【特許文献１】実公平５−４５７２４号公報
【特許文献２】特開２００７−１６４２６号公報
【発明の開示】
【発明が解決しようとする課題】
【０００７】
本発明はこのような問題を解決し、表示錠または間仕切り錠を備えたドア錠に好適で、簡単な構造で容易かつ安価に製作できるとともに、悪戯等によってサムターン摘みが施錠操作され閉扉された際、ドアの施錠を阻止し、室内の使用を確保して悪戯に対応するとともに、表示錠と間仕切り錠の共用化を図り、これを合理的かつ安価に実現するとともに、体裁の向上を図れるドア錠を提供することを目的とする。
【課題を解決するための手段】
【０００８】
請求項１の発明は、レバーハンドルの回動変位に同動可能なレバーカムと、該レバーカムに連係して進退可能なラッチボルトと、サムターン摘みの回動変位に同動可能なロックカムとを備え、前記ロックカムの施錠回動変位を介して、前記ラッチボルトの後退変位を阻止可能にしたドア錠において、前記レバーカムの一端部を、前記ロックカムの施錠回動域に係合可能に配置し、室内からのサムターン摘みの施錠操作による施錠を簡単な構成で実現し、これを容易かつ安価に製作し得るようにしている。
【０００９】
請求項２の発明は、前記ロックカムと係合可能なロックプレートを、ラッチボルトの軸方向と直交方向へ移動可能に装着し、ロックカムとの係合時にロックカムからの離反動を実現可能にし、ロックカムの施錠回動後におけるラッチボルトの後退変位を実現可能にしている。
請求項３の発明は、前記ロックカムの施錠回動後、前記ラッチボルトの後退変位時、ロックプレートとロックカムとの係合を介して、ロックプレートをロックカムから離反可能に設け、ラッチボルトの後退を続行可能にするとともに、ラッチボルトの先端部をトロヨケから引き抜き可能にし、悪戯により、例えば開扉状態でサムターン摘みが施錠操作され、その後に閉扉された場合、ドアの施錠を阻止し、室内の使用を確保できるようにして、前記悪戯に対応可能にしている。
【００１０】
請求項４の発明は、前記ロックプレートに、ラッチボルトに装着可能な幅広な切欠溝を形成し、該切欠溝を介しロックプレートと施錠回動後のロックカムとの係合時、ロックプレートをロックカムから離反可能にし、簡単な構成によって、ロックカムの施錠回動後におけるラッチボルトの後退動を実現し、前記悪戯に対応可能にしている。
請求項５の発明は、前記ラッチボルトを前記レバーカムに揺動可能に支持し、前記ロックプレートのロックカムからの離反動や、ラッチボルトの後退動を促すようにしている。
【００１１】
請求項６の発明は、レバーハンドルの回動変位に同動可能なレバーカムと、該レバーカムに連係して進退動可能なラッチボルトと、サムターン摘みの回動変位に同動可能なロックカムと、サムターン摘みの回動変位に同動可能な表示板とを備え、前記表示板に表示窓を形成したドア錠において、前記表示板に表示窓を隠蔽可能な隠蔽カバ−を着脱可能に装着し、隠蔽カバーの装着時には、表示窓を隠蔽して間仕切り錠としての使用を図れ、隠蔽カバーの取り外し時には、表示窓から表示部を透視可能にして、表示錠としての使用を図れるとともに、隠蔽カバーの着脱による簡単な操作によって、間仕切り錠と表示錠との使用を容易に得られるようにしている。
【００１２】
請求項７の発明は、前記隠蔽カバーの後部に表示窓に係合可能な取付脚を突設し、取付脚を介し隠蔽カバーの着脱を簡便に行えるようにしている。
請求項８の発明は、ドアの外面に共用取付座を取り付け、該共用取付座に前記表示板を回動可能に取り付け、間仕切り錠と表示錠とに両用可能な表示板に対する取付座の共用化を図り、これを合理的かつ安価に製作し得るようにしている。
請求項９の発明は、前記共用取付座の後部に表示板と同動可能な連結軸を突設し、該連結軸の基部にクリップスプリングを着脱可能に取り付け、該クリップスプリングを介し共用取付座に連結軸を保持可能にし、共用取付座に連結軸を容易に取り付けられるようにしている。
【００１３】
請求項１０の発明は、前記クリップスプリングは、連結軸の環状溝に掛け止め可能なクリップ部と、表示板を後方へ付勢可能なコイルスプリング部とを一体に形成して、部品点数を低減し、連結軸を取付座に取り付ける際、スプリングと止め輪を要していた従来の取り付け法に比べ、これを容易かつ安価に組み付けられるようにしている。
請求項１１の発明は、前記共用取付座を、表示錠と間仕切り錠とに両用可能にし、部品点数を低減して、これを合理的かつ安価に製作し得るようにしている。
【発明の効果】
【００１４】
請求項１の発明は、レバーカムの一端部を、前記ロックカムの施錠回動域に係合可能に配置したから、室内からのサムターン摘みの施錠操作による施錠を簡単な構成で実現し、これを容易かつ安価に製作することができる。
請求項２の発明は、前記ロックカムと係合可能なロックプレートを、ラッチボルトの軸方向と直交方向へ移動可能に装着したから、ロックカムとの係合時にロックカムからの離反動を実現可能にし、ロックカムの施錠回動後におけるラッチボルトの後退変位を実現することができる。
【００１５】
請求項３の発明は、前記ロックカムの施錠回動後、前記ラッチボルトの後退変位時、ロックプレ−トとロックカムとの係合を介して、ロックプレ−トをロックカムから離反可能に設け、ラッチボルトの後退を続行可能にするとともに、ラッチボルトの先端部をトロヨケから引き抜き可能にしたから、悪戯により、例えば開扉状態でサムタ−ン摘みが施錠操作され、その後に閉扉された場合、ドアの施錠を阻止し、室内の使用を確保して、前記悪戯に対応することができる。
【００１６】
請求項４の発明は、前記ロックプレートに、ラッチボルトに装着可能な幅広な切欠溝を形成し、該切欠溝を介しロックプレートと施錠回動後のロックカムとの係合時、ロックプレートをロックカムから離反可能にしたから、簡単な構成によって、ロックカムの施錠回動後におけるラッチボルトの後退動を実現し、前記悪戯に対応することができる。
請求項５の発明は、前記ラッチボルトを前記レバーカムに揺動可能に支持したから、前記ロックプレ−トのロックカムからの離反動や、ラッチボルトの後退動を促すことができる。
【００１７】
請求項６の発明は、表示板に表示窓を隠蔽可能な隠蔽カバーを着脱可能に装着したから、隠蔽カバーの装着時には、表示窓を隠蔽して間仕切り錠としての使用を図れ、隠蔽カバーの取り外し時には、表示窓から表示部を透視可能にして、表示錠としての使用を図れるとともに、隠蔽カバーの着脱による簡単な操作によって、間仕切り錠と表示錠との使用を容易に得られる効果がある。
【００１８】
請求項７の発明は、前記隠蔽カバーの後部に表示窓に係合可能な取付脚を突設したから、取付脚を介し隠蔽カバーの着脱を簡便に行なうことができる。
請求項８の発明は、ドアの外面に共用取付座を取り付け、該共用取付座に前記表示板を回動可能に取り付けたから、間仕切り錠と表示錠とに両用可能な表示板に対する取付座の共用化を図り、これを合理的かつ安価に製作することができる。
請求項９の発明は、前記共用取付座の後部に表示板と同動可能な連結軸を突設し、該連結軸の基部にクリップスプリングを着脱可能に取り付けたから、該クリップスプリングを介し共用取付座に連結軸を保持可能にし、共用取付座に連結軸を容易に取り付けることができる。
【００１９】
請求項１０の発明は、前記クリップスプリングは、連結軸の環状溝に掛け止め可能なクリップ部と、表示板を後方へ付勢可能なコイルスプリング部とを一体に形成したから、部品点数を低減し、連結軸を取付座に取り付ける際、スプリングと止め輪を要していた従来の取り付け法に比べ、これを容易かつ安価に組み付けることができる。
請求項１１の発明は、前記共用取付座を、表示錠と間仕切り錠とに両用可能にしたから、部品点数を低減し、これを合理的かつ安価に製作することができる。
【発明を実施するための最良の形態】
【００２０】
以下、本発明を間仕切り錠として使用した図示の実施形態について説明すると、図１乃至図１８において１は玄関および勝手口を除く室内の間仕切り用ドアで、該ドア１の一側端部に錠取付穴２が開口され、該錠取付穴２に箱形の錠前３が収容されている。
前記錠前３の一端にラッチボルト４が出没可能に設けられ、その他側端の下側に角穴５が設けられ、該角穴５に室外側のレバーハンドル６に連結した角芯棒７が係合可能に挿入されている。
【００２１】
図中、８は錠取付穴２の開口縁部に形成した縦長矩形の切欠溝で、該溝８に錠前３を構成する鋼板製の錠ケース９と一体の取付板１０と、フロント板１１とが重合して収容され、これらがビス１２を介してドア１の側端部に取り付けられている。
１０ａは取付板１０の上下位置に内側に突設した凸部、１３はドア１の側端部と相対する枠体で、その中高位置にトロヨケ１４が埋設され、該トロヨケ１４内にラッチボルト４の頭部４ａが出入可能に収容されている。
【００２２】
前記角穴５の両側に係合孔１５が形成され、該孔１５，１５と前記角穴５に対するドア１の対応位置に、大小異径の貫通孔１６，１７が形成され、該貫通孔１６，１７に角芯棒７と、真鍮等の金属製の連結パイプ１８が挿入されている。
前記連結パイプ１８は、貫通孔１６を介して係合孔１５に挿入され、その長さはドア１の厚さよりも若干長尺に形成されている。
【００２３】
前記連結パイプ１８の管内全域に雌ネジ部（図示略）が形成され、該雌ネジ部にドア１の内外からビス１９をねじ込み可能にされ、後述するハンドル取付座をドア１の内外に取り付け可能にしている。
【００２４】
前記連結パイプ１８の一端にスリット２０が形成され、該スリット２０の両側に略円弧状断面の係止爪２１が対向して形成され、該係合爪２１，２１を、ハンドル取付座２２，２３の内面に形成した係合溝（図示略）に係合可能に配置している。
前記ハンドル取付座２２，２３は貫通孔１６，１７に臨むドア１の内外面に配置され、該ハンドル取付座２２，２３は合成樹脂または亜鉛若しくはアルミダイカスト合金によって略円板状に成形されている。
【００２５】
前記内外のハンドル取付座２２，２３は実質的に同一に構成され、これを外側のハンドル取付座２２で説明すると、ハンドル取付座２２の前面は額縁状に形成され、その凹状の平坦面２４の外周に、凸部２５が環状に形成されている。
この場合、ハンドル取付座２２，２３は円板状に限らず、楕円、小判形、矩形、正五〜八角形、その他の異形に形成することも可能である。
【００２６】
前記平坦面２４の中央に、レバ−ハンドル６の軸端部６ａを挿入可能な通孔２６が形成され、該通孔２６の両側に一対の凹孔２７と、矩形の凹部２８とが互いに直交して配置されている。
このうち、凹孔２７に前記ビス１９の頭部１９ａが収容され、該凹孔２７の底部に前記ビス１９の螺軸を挿入可能な通孔２９が形成されている。
【００２７】
また、前記凹部２８に両面接着テープ（図示略）または接着剤を介して、マグネットシート３０が取り付けられ、該マグネットシート３０の外面にカバ−である、磁性を有する金属製の化粧板３１が取り付けられている。
実施形態では前記化粧板３１として、肉厚のステンレス鋼板を使用し、該化粧板３１をマグネットシート３０に重合して配置し、該化粧板３１の表面を前記凸部２５と同高位置または若干高若しくは低位置に位置付けている。
【００２８】
前記化粧板３１の表面はヘアラインまたは鏡面仕上げされ、その中央に通孔３２が形成され、その対向位置に一対の舌片３３が対向して形成され、該舌片３３，３３が凹溝３４，３４上に配置されている。
【００２９】
前記通孔３２は、通孔２６の周縁に対向して突設した円弧状のガイドリブ３５，３５の外側に嵌合可能に取り付けられ、該ガイドリブ３５，３５の両端部に凹溝３４，３４が対向して形成され、該凹溝３４，３４上の前記舌片３３，３３が、円周方向に移動可能に取り付けられている。
【００３０】
前記ハンドル取付座２２の裏面の外周に環状の補強リブ３６が突設され、また通孔２６の開口縁部に環状の補強リブ３７が突設され、該補強リブ３６，３７の間に直線状の補強リブ（図示略）が突設されている。
前記補強リブ３７と直交する補強リブ３６，３７の間に、円板状の補強板３８，３８が突設され、これらの補強板３８，３８と補強リブ３６，３７が同高面に形成されている。
前記補強板３８，３８の中央に前記通孔２９，２９が形成され、該通孔２９，２９の開口縁部に、前記係止爪２１，２１と係合可能な一対のスリット（図示略）が対向して形成されている。
【００３１】
図中、３９は室内側のレバーハンドルで、その軸端部３９ａに前記角芯棒７の先端部を差し込み可能な角穴４０が形成され、該角穴４０の外側からビス４１がねじ込まれ、その尖端部が角芯棒７に形成した係止溝４２に係合可能に配置され、角芯棒７を連結可能にしている。
４３は錠ケース９を閉塞する錠カバーで、合成樹脂製のラッチボルト受４４にビス４５を介して取り付けられている。
【００３２】
前記ラッチボルト受４４は錠ケース９内の取付板１０側に配置され、該ラッチボルト受４４は肉厚の矩形板状に成形されていて、その中央にラッチボルト４の頭部４ａを収容可能な切欠部４６が形成されている。
前記切欠部４６に臨ませて凹溝４７が形成され、該凹溝４７にラッチボルト４の軸部を摺動かつ揺動可能に収容している。
図中、４８はビス４５をねじ込み可能なネジ孔、４９は錠カバー４３に係合可能な位置決めピン、５０は取付板１０の中間部に形成した通孔で、前記頭部４ａを出入り可能にされている。
【００３３】
前記ラッチボルト受４４の切欠部４６を挟む両側に、溝状のバネ受５２，５３が形成され、これらに圧縮バネであるカムスプリング５４と、圧縮バネであるロックカムスプリング５５とが収容され、それらの他端にレバーカム５６とロックカム５７が配置され、これらのカム５６，５７が、錠ケース９の底面に形成した通孔５８，５９に回動可能に取り付けられている。図中、５６ａはレバーカム５６の先端後部に形成した切欠部である。
【００３４】
前記カム５６，５７は耐摩耗性を有する合成樹脂で構成され、このうちレバーカム５６は角芯棒７を挿入可能な角穴６０を通孔５８と同軸上に配置し、該角穴６０に近接するレバーカム５６の一端部に、バネ受部６１を形成している。
前記バネ受部６１とカムスプリング５４との間にカム受６２が介挿され、前記カムスプリング５４の弾性を介して、レバーカム５６を図３上反時計方向へ回動可能に付勢し、ラッチボルト４を施錠可能にしている。
【００３５】
前記レバーカム５６の他端部は、ロックカム５７のカム面５７ａの回動域内に延設され、ロックカム５７の施錠後は、レバーカム５６の他端部が前記カム面５７ａに当接して回動を抑制され、レバーハンドル６，３９の開扉に十分な開回動を阻止可能にしている。
前記レバーカム５６の他端部に係合溝６３が形成され、該溝６３にラッチボルト４の軸部が摺動かつ揺動可能に挿入され、該ラッチボルト４の後端部が、係合溝６３の後方の外端部に係合可能に配置され、その係止溝６４にロックプレート６５が装着されている。  
【００３６】
前記ロックプレート６５は鋼板を略ヘ字形状に折り曲げて形成され、その屈曲部６５ａをロックカム５７の回動域に臨ませて配置され、常時は前記切欠部５６ａに屈曲部６５ａを係合可能にしている。
前記ロックプレート６５に切欠溝６６が形成され、該切欠溝６６を係止溝６４に差し込み可能にしており、該切欠溝６６の幅はラッチボルト４の軸径より幅広に形成され、その裕度分溝幅方向へ移動してカム面５７ａから離反し、ラッチボルト４の後退変位を可能にしている。
図中、６７は錠ケース９の側壁６８と、ラッチボルト４の後端部との間に介挿したラッチスプリングで、その弾性を介してラッチボルト４をドア１の外側へ移動可能に付勢している。
【００３７】
前記ロックカム５７は、後述の連結軸を挿入可能な係止孔６９を前記通孔５９と同軸上に配置し、該係止孔６９の外周に大小二つの円弧状のカム面５７ａ，５７ｂを形成し、残りの外周を平坦面５７ｃに形成している。  
前記カム面５７ａ，５７ｂは、係止孔６９を中心とする同心円状の円弧に形成され、このうち大径側のカム面５７ａが、前記レバーカム５６の他端部と屈曲部６５ａの先端部に係合可能に配置されている。
【００３８】
前記カム面５７ａ，５７ｂの境界部にはピン１０４が突設され、該ピン１０４にロックカムスプリング５５の先端部が掛け止められ、該スプリング５５の押圧（圧縮）弾性を介して、ロックカム５７を第３図上反時計方向へ回動可能に付勢している。
図中、７１，７２はカム面５７ａ，５７ｂの境界部と、カム面５７ｂの外端部に突設した平坦な係合面を有する凸部で、側壁６８の内面に係合可能にされ、ロックカム５７の時計方向へ回動を阻止可能にしている。
【００３９】
前記係止孔６９は略分銅形状に形成され、その長さ方向に連結軸７０を収容可能にされ、表示錠と間仕切り錠に両用可能な共用取付座７１と、サムターン取付座７２とを、ドア１の内外に取り付け可能にしている。
前記共用取付座７１は、前記ハンドル取付座２２よりも小径な合成樹脂製の円板状に形成され、ドア１の室外側表面のハンドル取付座２２の直上位置に取り付けられている。
【００４０】
前記共用取付座７１の前面７３は額縁状に形成され、その周囲に環状の凸部７４を形成し、凹状の平坦面に大小二つの凹孔７５，７６を離間し形成し、それらの底部に透孔７７，７８を形成している。
このうち、小径側の凹孔７５にビス７９の頭部７９ａを収容し、その螺軸を透孔７７から後方に突出し、該螺軸を六角柱状のネジパイプ８０にねじ込んで連結している。
また、大径側の凹孔７６の底部に、室内の使用不使用を二色で表示した表示シート８１が接着され、該表示シート８１上に化粧板８２を介して、連結軸７０と一体のアルミニウムダイカスト製の表示板８３が取り付けられている。
【００４１】
実施形態では、前記化粧板８２として肉厚のステンレス鋼板が使用され、その表面はヘアラインまたは鏡面仕上げされ、その表面を前記凸部７４と同高位置または若干高若しくは低位置に位置付けている。
前記化粧板８２の偏心位置に通孔８４が形成され、該通孔８４は凹孔７６の開口縁より若干小径に形成され、該通孔８４の開口縁部に表示板８３を配置して、化粧板８２を挟持している。
図中、８５は化粧板８２の周縁に突設した舌片で、凹孔７６に近接する凸部７４に形成した切欠溝８６に収容されている。
【００４２】
前記表示板８３の前面は平坦に形成され、その中央に浅溝のスリワリ８７が形成され、その外側の表示シート８１の位置に臨ませて、長円形の表示窓８８，８８が形成されている。
前記表示窓８８，８８は、実施形態のように共用取付座７１を間仕切り錠に使用する場合は、遮蔽カバー８９を取り付けて表示シート８１の表示を遮蔽可能にし、共用取付座７１を表示錠取付座として使用する場合は、図６のように表示窓８８，８８を開口し、表示シート８１の表示を外部から透視可能にしている。
【００４３】
前記遮蔽カバー８９は、適当な弾性を有する不透明の合成樹脂によって薄厚のリング状に形成され、その裏面の対向位置に取付脚９０，９０を突設し、該取付脚９０，９０を前記表示窓８８，８８に圧入して、後方へ突出している。
前記取付脚９０，９０は略十字状に形成され、その横脚部９０ａは表示窓８８の長さと略同長に形成され、縦脚部９０ｂは表示窓８８の幅さと略同長に形成され、表示窓８８の内面に密接可能にされている。
この場合、実施形態の縦脚部９０ｂは、横脚部９０ａを境に幅を相違させているが、等幅に形成することも可能である。
【００４４】
前記透孔７８の後側開口部に凹孔９１が形成され、該凹孔９１に臨む連結軸７０に環状溝９２が形成され、該環状溝９２にクリップスプリング９３が取り付けられ、該スプリング９３の弾性を介して連結軸７０を後方へ付勢している。
前記クリップスプリング９３は、ばね用鋼線を捲回かつ折り曲げて一体に構成され、これは図１４乃至図１６のように、環状溝９２の周面を圧接して掛け止め可能なクリップ９３ａと、連結軸７０の周面に装着可能なコイルスプリング部９３ｂとから構成されている
【００４５】
前記クリップ９３ａは略長円形状に形成され、その短径幅は連結軸７０と略同径に形成され、その長径寸法はコイルスプリング部９３ｂよりも長尺に形成され、該コイルスプリング部９３ｂは少巻数に形成されている。
実施形態のコイルスプリング部９３ｂは２．５巻に形成され、その一端を凹孔９１の底部に着座し、他端をクリップ９３ａを介して環状溝９２の内面に着座させ、当該部に付勢力を作用させている。
【００４６】
図中、９４は連結軸７０の基部に形成した円錐台形状のテーパガイドで、その大径側に前記環状溝９２を形成しており、９５はドア１に形成した貫通孔で、該孔９５に前記連結軸７０とネジパイプ８０とが挿入され、それらの先端部に前記サムターン取付座７２が取り付けられている。
【００４７】
前記サムターン取付座７２は、共用取付座７１と同径の合成樹脂製の円板状に形成され、その額縁状の表面にサムターン摘み９６が回動可能に取り付けられ、その軸端部に角孔９７が形成されている。
前記角孔９７に連結軸７０が挿入され、サムターン摘み９６と連結軸７０とを同動可能に連結している。図中、９８はサムターン摘み９６の軸端部に装着した止め輪である。
【００４８】
前記サムターン取付座７２の表面に、マグネットシート９８を取り付け可能な凹部（図示略）と、ビス９９の頭部９９ａを収容可能な凹孔（図示略）とが形成され、該凹孔の裏側にネジパイプ８０の他端部を係合可能な角溝１００が形成されている。
そして、前記角溝１００にネジパイプ８０の先端部を係合し、室内側からビス９９をネジパイプ８０にねじ込んで、該ネジパイプ８０を連結可能にしている。
【００４９】
図中、１０１はマグネットシート９８に吸着して取り付けた化粧板で、前記化粧板８２と同様に肉厚のステンレス鋼板で構成され、その表面はヘアラインまたは鏡面仕上げされ、その表面をサムターン取付座７２の外周部の凸部と同高または若干高若しくは低位置に位置付けている。
【００５０】
前記化粧板１０１の偏心位置に通孔１０２が形成され、該通孔１０２をサムターン摘み９６の基部に配置している。図中、１０３は化粧板１０１の周縁に突設した舌片で、前記凸部に形成した切欠溝（図示略）に収容されている。
【００５１】
このように構成したドア錠は、ドア１の内外のハンドル取付座２２，２３と、共用取付座７１とサムタ−ン取付座７２の各表面に、ステンレス鋼板製の化粧版３１、８２、１０１が取り付けられ、それらの表面が金属光沢で装飾されて意匠的な美観と高品位感を呈している。
【００５２】
前記共用取付座７１は、間仕切り錠と表示錠に両用可能で、実施形態のように間仕切り錠として使用する場合は、共用取付座７１をドア１の外面に取り付け後、その前部に表出した表示板８３に遮蔽カバー８９を取り付ければ良い。
この場合、遮蔽カバー８９を要することになるが、該遮蔽カバー８９は簡単な構成で合成樹脂製であるから、容易かつ安価に製作でき、使用の障害になることはない。
前記遮蔽カバー８９を取り付ける場合は、遮蔽カバー８９を保持し、その取付脚９０を表示板８３の外側から表示窓８８に押し込めば良く、その作業は簡単で迅速に行なえる。
【００５３】
こうして遮蔽カバー８９を取り付けると、取付脚９０の十字状の横脚部９０ａと縦脚部９０ｂとが、その弾性に抗して表示窓８８に圧入され、それらが表示窓８８の内面に圧接かつ密着する。
また、取付脚９０の後端部が表示窓８８から押し出されて後方へ突出し、この突出部が弾性によって原形を回復して、表示窓８８の後方開口縁に係合し、その抜け止め作用を奏するから、遮蔽カバー８９が表示板８３に確実かつ強固に取り付けられる。
【００５４】
前記遮蔽カバー８９の取り付け後の状況は図１のようで、表示窓８８が遮蔽カバー８９で閉塞され、表示シール８１の表示が透視不可能になる。
前記遮蔽カバー８９は、表示窓８８のみを遮蔽するコンパクトな構成であるから、表示板８３ないし共用取付座７１の外観を損なうことがない。また、表示窓が開口状態の従来の共用取付座に比べて体裁が良く、しかも表示シール８１の表示を透視できないから、従来のように開表示によるドアの誤操作を招く心配がない。
【００５５】
一方、間仕切り錠から表示錠用に使用する場合は、前記取り付けた遮蔽カバー８９を表示板８３から取り外せば良い。
この場合は、例えば尖端部を有する簡単な工具等を使用し、その尖端部を遮蔽カバー８９の基部に係合してこじり、取付脚９０を表示窓８８から引き抜けば良く、その作業は頗る簡単である。
こうして遮蔽カバー８９を取り外すと、表示窓８８が開口され、表示窓８８から表示シール８１の表示を透視し得るから、表示錠として使用し得る。
【００５６】
次に、共用取付座７１を間仕切り錠用に使用した実施形態のドア錠において、その閉扉状況は図３のようである。
すなわち、閉扉時は、ラッチボルト４がラッチスプリング６７によってドア１の外側へ移動し、その頭部４ａがトロヨケ１４内に係入して、閉扉状態を維持し、またレバーカム５６がカムスプリング５４によって同図上反時計方向へ付勢され、ラッチボルト受４４の後端面に当接して、ロックプレート６５の屈曲部６５ａがレバーカム５６の先端部の切欠部５６ａに係合している。
【００５７】
したがって、この場合は内外何れかの一方のレバーハンドル４，３９を回動操作し、ラッチボルト４を後退させ、その頭部４ａをトロヨケ１４から引き抜くことによって、開扉可能になる。
この場合、ロックカム５７は常態位置に置かれ、凸部７１が側壁６８の内面に係合して前記常態位置を維持し、その外周の平坦面５７ｃがレバーカム５６に対向して略水平に位置し、前記平坦面５７ｃと屈曲部６５ａの先端との間に広い空スペースが形成されている
【００５８】
このような状況の下で、前記閉扉時に室内側でサムターン摘み９６を操作し、間仕切り錠を施錠すると、サムターン摘み９６の回動に連動して連結軸７０が同動し、これにロックカム５７が同動して図３上反時計方向へ回動する。
この場合、前記ロックカム５７の回動をロックカムスプリング５５の弾性が促し、凸部７２が側壁６８の内面に係合したところで、ロックカム５７が回動を停止する。
【００５９】
この状況は図１７のようで、ロックカム５７の一方のカム面５７ａが、ロックプレート６５の屈曲部６５の先端部ないしはレバ−カム５６の先端部に近接して係合可能に位置し、レバーハンドル６または３９による十分な開回動を阻止して、施錠状態を形成する。
なお、サムターン摘み９６の回動に伴ない、連結軸７０を介して表示板８３が回動するが、遮蔽カバー８９による表示部の遮蔽状態が維持され、間仕切り錠の機能を維持する。
【００６０】
すなわち、前記施錠時にレバーハンドル６または３９を回動操作し、角芯棒７を介してレバーカム５６を同動させても、レバーカム５６はカム面５７との空隙分若干回動し、ラッチボルト４が若干後退した後、その先端部がカム面５７ａに係合して以降の回動を阻止し、開扉に十分な回動をなし得ない。したがって、ラッチボルト４の頭部４ａはトロヨケ１４から引き抜かれず、閉扉状態が維持される。
【００６１】
この場合、ロックプレート６５はラッチボルト４の後退動によってカム面５７ａに当接し、切欠溝６６の裕度分カム面５７ａから離反するが、ラッチボルト４の先端部とカム面５７ａとの係合に影響はなく、前述の施錠状態の形成に支障はない。
【００６２】
一方、前記開扉状態の下で、悪戯により室外でサムターン摘み９６を施錠操作すると、ラッチボルト４の頭部４ａがドア１から突出したまま、ロックカム５７が前述のように回動した状態に置かれる。この状況はラッチボルト４とトロヨケ１４との係合状態を除いて、略図１７のようである。
このような状態から悪戯によって更に閉扉されると、閉扉直前にラッチボルト４の頭部４ａがトロヨケ１４の開口縁に係合し、ラッチボルト４がドア１内に押し戻される。
【００６３】
このため、ロックプレート６５がラッチボルト４の後退動に同動し、屈曲部６５ａの先端部が切欠部５６ａから離間して、ロックカム５７のカム面５７ａに係合する。
その際、ロックプレート６５は、切欠溝６６の幅広分、カム面５７ａから離反して移動し、ラッチボルト４の後退を促す一方、カム面５７ａに係合後、自重によってカム面５７ａから離反する。
この後、ラッチボルト４は更に後退し、ラッチスプリング６７を押し縮め、カム面５７ａの終端部の直下へ移動したところで、停止する。この状況は図１８のようである。  
【００６４】
このような状況ではラッチボルト４が錠ケース９内に完全に引き込まれ、その頭部４ａがトロヨケ１４から引き抜かれて、ドア１が開放可能になる。
したがって、この後、何れか一方のレバーハンドル６または３９を手前に引けば、回動操作を要することなく開扉可能になり、速やかに部屋の利用が可能になる。
【００６５】
なお、本発明を前述の間仕切り錠の代わりに、表示錠に適用する場合には、前述のように遮蔽カバー８９を取り外すだけで良く、表示窓８８から表示シート８１の表示が透視可能になって、表示錠としての使用を容易に得られる。
その場合でも悪戯によって、表示錠の施錠に伴う部屋の使用を阻止されることなく、前述と同様な作用効果を得られ、悪戯に対応し得る。
【産業上の利用可能性】
【００６６】
このように本発明のドア錠は、簡単な構造で容易かつ安価に製作できるとともに、悪戯等によってサムターン摘みが施錠操作され閉扉された際、ドアの施錠を阻止し、室内の使用を確保して悪戯に対応するとともに、表示錠と間仕切り錠の共用化を図り、これを合理的かつ安価に実現するとともに、体裁の向上を図れるから、表示錠または間仕切り錠を備えたドア錠に好適である。
【図面の簡単な説明】
【００６７】
【図１】本発明を間仕切り錠を備えたドア錠に適用した状況を示す斜視図で、室外側の取り付け状況を示している。
【図２】本発明を分解して示す斜視図である。
【図３】本発明の内部構造を示す断面図で、その閉扉状態を示している。
【図４】本発明の内部の主要部品を分解して示す斜視図である。
【図５】図１の間仕切り錠部を拡大して示す正面図である。
【００６８】
【図６】本発明を表示錠を備えたドア錠に適用した場合の、表示錠部を拡大して示す正面図である。
【図７】図５のＡ−Ａ線に沿う断面図である。
【図８】図５の平面図である。
【図９】図５の背面図である。
【図１０】本発明に適用した間仕切り錠部の表示板を拡大して示す正面図である。
【００６９】
【図１１】図１０のＢ−Ｂ線に沿う断面図である。
【図１２】本発明に適用した遮蔽カバーの背面情況を拡大して示す背面図である。
【図１３】本発明に適用した遮蔽カバーの平面図である。
【図１４】本発明に適用したクリップスプリングの取り付け状況を拡大して示す正面図である。
【図１５】図１４の平面図である。
【００７０】
【図１６】図１４の背面図である。
【図１７】本発明の作動状態を示す断面図で、閉扉後にサムターン摘みを施錠操作した際のロックカムによる施錠状況を示している。
【図１８】本発明の作動状態を示す断面図で、開扉時に悪戯されてサムターン摘みが施錠操作され、この後閉扉された際のロックカムとラッチボルトの作動状況を示している。
【符号の説明】
【００７１】
１                  ドア
４                  ラッチボルト
６，３９            レバーハンドル
１４                トロヨケ
５６                レバ−カム
５７                ロックカム
【００７２】
６５                ロックプレート
６６                切欠溝
７０                連結軸
８３                表示板
８８                表示窓
【００７３】
８９                遮蔽カバー
９０                取付脚
９３                クリップスプリング
９３ａ              クリップ部
９３ｂ              コイルスプリング部
９６                サムターン摘み
【図１】
2010071024.tif 000003
【図２】
2010071024.tif 000004
【図３】
2010071024.tif 000005
【図４】
2010071024.tif 000006
【図５】
2010071024.tif 000007
【図６】
2010071024.tif 000008
【図７】
2010071024.tif 000009
【図８】
2010071024.tif 000010
【図９】
2010071024.tif 000011
【図１０】
2010071024.tif 000012
【図１１】
2010071024.tif 000013
【図１２】
2010071024.tif 000014
【図１３】
2010071024.tif 000015
【図１４】
2010071024.tif 000016
【図１５】
2010071024.tif 000017
【図１６】
2010071024.tif 000018
【図１７】
2010071024.tif 000019
【図１８】
2010071024.tif 000020